(57)【要約】【課題】専用リモコンを所持しないと、家の人でも開閉できない。又、紛失した場合は鍵の開閉が不能になってしまう。【解決手段】設置の携帯電話が受信すると、防犯用鍵コントローラーのロックレバーが作動し鍵の解除を可能にさせたり、鍵の解除を防止させたりする。又、携帯電話を紛失した時や所持してない時でも公衆電話等を利用し、ロックレバーを作動させることができる。【選択図】  図１
2004293269.tif 000002
【特許請求の範囲】
【請求項１】
携帯電話が受信時に発光するＬＥＤの光をセンサーがキャッチすると、ロックレバー用モータが作動し鍵の解除を可能にさせたり、鍵の解除を防止させたりする為の防犯用鍵コントローラー。
【発明の詳細な説明】
【０００１】
【発明に属する技術分野】
本発明は空き巣等の侵入を防止するための鍵の安全装置に関する。
【０００２】
【従来の技術】
ワイヤレスリモコンを利用してロックバー用アクチュエータを稼動させ、ロックバーを既存の鍵に装着した円板のロックバー用挿入部に挿入し、鍵の回転を防止させる機構。
【０００３】
【発明が解決しようとする課題】
専用リモコンを所持しないと、家の人でも開閉できない。また紛失した場合でも開閉できない点である。
【０００４】
【課題を解決するための手段】
本発明は携帯電話を利用することで専用の通信機を不要にした。また携帯電話の未所持や、紛失時でも公衆電話を利用して鍵の解除を可能にさせたり、鍵の解除を防止させたりすることが主要な特徴とする。
【０００５】
【発明の実施の形態】
図１、図２、図３、図４、図５、図６、図７、図８および図９に従って、一実施例を説明する。
【０００６】
図１［ロック機構部（側面図）］、図２［ロック機構部（平面図）］、図３
［ロック機構部（Ｘ矢視図）］に従って説明する。
ギアー（１）２装着のモータ１を取り付けたモータ取付金具１８と回転軸１０のアッセンブリ、センサー（正転開始用）２０及びセンサー（逆転開始用）２１がフレーム（１）１５に装着されている。回転軸アッセンブリはセンサードグ（正転開始用）５を図４の位置関係でピン（３）４６にて固定したロックレバー４及びセンサードグ（逆転開始用）６をピン（３）にて固定したギアー（２）３がネジで固定されている。更にスペーサ９、ベアリング１１を装着の軸受金具（１）１３と軸受金具（２）１４が組み込まれＣ−リング１２で保持されている。軸先端部の一方にはセンサードグ（正転停止用）７をピン（３）で固定したドラム（Ｄ４）４３が装着されている。他方はセンサードグ（逆転停止用）８がネジにて固定されている。軸受金具（１）にはセンサー（正転停止用）２２とブッシュ４２を圧入のドラム（Ｄ３）３９を実装したシャフト（１）４１が取り付けられ、軸受金具（２）にはセンサー（逆転停止用）２３が取り付けられている。ドラム（Ｄ３）とドラム（Ｄ４）はコンストンバネ４０にて連結されている（図２に示す。）。以上のフレーム（１）アッセンブリにカバー（１）１９を装着し両面テープ（１）１７を貼り付けたベース（１）１６にネジで固定されている。なおフレーム（１）にはマグネット４４を取り付けたマグネット金具４５が固定されている。
【０００７】
図８［受信機用操作部（平面図）］、図９［受信機用操作部（側面図）］、図１０［受信機用操作部（Ｙ矢視図）］に従って説明する。
操作レバー２９をピン（１）３０で回転自由に取り付けたソレノイドバルブ２８をネジで、操作レバーの一端をピン（２）３１で、そして中央部をスプリング３２でフレーム（２）２６に固定し、カバー（２）２７でカバーした操作レバーアッセンブリとセンサー（ＬＥＤ検出用）３５装着のセンサー金具３４及びアンプ３６がベース（２）３３に固定されている。更に、充電器２５が充電器取付金具（１）３７、充電器取付金具（２）３８にて固定されている。充電器には受信機２４がセットされている。
【０００８】
図１１（モータ操作用電気回路図）に従って、一実施例を説明する。
受信機のＬＥＤ検出用センサーＳＷ０はアンプＡに接続され、アンプからソリッドステートリレーＳＳＲに接続されている。ソリッドステートリレーの一方の端子から電源Ｖ１に接続され、他方の端子はモータＭに接続されている。センサーは電源Ｖ２から供給されている。センサー（正転開始用）ＳＷ１はソリッドステートリレーＳＳＲに接続され、ソリッドステートリレーの一方の端子から電源の端子に接続され、他方の端子からモータに接続されている。また、同様にセンサー（逆転開始用）ＳＷ２もソリッドステートリレーＳＳＲに接続され、ソリッドステートリレーの一方の端子からモータ電源の端子に接続され、他方の端子からモータに接続されている。センサーは電源Ｖ２から供給されている。
【０００９】
図１２（受信機操作用電気回路図）に従って、一実施例を説明する。
センサー（正転停止用）ＳＷ３はソリッドステートリレーＳＳＲに接続され，ソリッドステートリレーの一方の端子からソレノイドバルブＳに接続され、他方の端子から電源Ｖ２に、そして電源からソレノイドバルブに接続されている。センサー（逆転停止用）ＳＷ４もセンサー（正転停止用）と同様に接続されている。センサーは電源Ｖ２から供給されている。
【００１０】
図１３（安全装置用電気回路図）に従って  一実施例を説明する。
受信機のＬＥＤ検出用センサーＳＷ５はアンプＡに接続され、アンプからソリッドステートリレーＳＳＲに接続されている。アンプは電源Ｖ２から供給されている。ソリッドステートリレーの一方の端子（ＣＯＭ端子）から電源Ｖ２に接続され、電源からタイマーＴに接続されている。又、ソリッドステートリレーの他方の端子（Ａ端子）からセンサー（正転開始用）を接続したソリッドステートリレーＳＳＲの一方の端子（ＣＯＭ端子）接続されている。又、同様にセンサー（逆転開始用）を接続したソリッドステートリレーＳＳＲのＣＯＭ端子にも接続されている。センサー（正転開始用）はソリッドステートリレーＳＳＲに接続され、ソリッドステートリレーのＡ端子からタイマーＴに接続されている。センサー（逆転開始用）はソリッドステートリレーＳＳＲに接続され、ソリッドステートリレーのＢ端子からタイマーＴに接続されている。センサー（正転開始用）及びセンサー（逆転開始用）は電源Ｖ２から供給されている。マグネットＭｇは一方の端子からタイマーに、他方の端子からは電源Ｖ２を介しタイマーに接続されている。
【００１１】
【発明の効果】
以上説明したように、パスワード（電話番号）が判らなければ、既存の鍵をあけることができない。従ってピッキング等による空き巣の侵入を防ぐことができる。
【図面の簡単な説明】
【図１】ロック機構部の側面図である。
【図２】ロック機構部の平面図である。
【図３】ロック機構部のＸ矢視図（部分側面図）である。
【図４】受信機用操作部の平面図である。
【図５】受信機用操作部の側面図である。
【図６】受信機用操作部のＹ矢視図である。
【図７】モータ操作用電気回路図である。
【図８】受信機操作用電気回路図である。
【図９】安全装置電気回路図である。
【符号の説明】
１      モータ
２      ギアー（１）
３      ギアー（２）
４      ロックレバー
５      サンサードグ（正転開始用）
６      センサードグ（逆転開始用）
７      センサードグ（正転停止用）
８      センサードグ（逆転停止用）
９      スペーサ
１０    回転軸
１１    ベアリング
１２    Ｃ−リング
１３    軸受金具（１）
１４    軸受金具（２）
１５    フレーム（１）
１６    ベース（１）
１７    両面テープ（１）
１８    モータ取付金具
１９    カバー（１）
２０    センサー（正転開始用）
２１    センサー（逆転開始用）
２２    センサー（正転停止用）
２３    センサー（逆転停止用）
２４    受信機
２５    充電器
２６    フレーム（２）
２７    カバー（２）
２８    ソレノイドバルブ
２９    操作レバー
３０    ピン（１）
３１    ピン（２）
３２    スプリング
３３    ベース（２）
３４    センサー金具
３５    センサー（ＬＥＤ検出用）
３６    アンプ
３７    充電器取付金具（１）
３８    充電器取付金具（２）
３９    ドラム（Ｄ３）
４０    コンストンバネ
４１    シャフト（１）
４２    ブッシュ
４３    ドラム（Ｄ４）
４４    マグネット
４５    マグネット金具
４６    ピン（３）
Ｍ      モータ
Ｓ      ソレノイドバルブ
Ｖ１    交流電源
Ｖ２    直流電源
ＳＳＲ  ソリッドステートリレー
Ａ      アンプ
ＳＷ０  センサー（ＬＥＤ検出用）
ＳＷ１  センサー（正転開始用）
ＳＷ２  センサー（逆転開始用）
ＳＷ３  センサー（正転停止用）
ＳＷ４  センサー（逆転停止用）
ＳＷ５  センサー（ＬＥＤ検出用、安全装置用）
Ｔ      タイマー
Ｍｇ    マグネット
【図１】
2004293269.tif 000003
【図２】
2004293269.tif 000004
【図３】
2004293269.tif 000005
【図４】
2004293269.tif 000006
【図５】
2004293269.tif 000007
【図６】
2004293269.tif 000008
【図７】
2004293269.tif 000009
【図８】
2004293269.tif 000010
【図９】
2004293269.tif 000011